(57)【要約】【課題】ブーム内における左右の各二条のリブにおける尖頭部を、夫々対応するアンテナ素子の周壁に食い込ませて、アンテナ素子の固定が確実で信頼性の高いアンテナ素子の固定部の構造を提供する。  【解決手段】  ブームの管壁における左右の壁部の内面の夫々には、上下方向に相互間に間隙を形成する状態でブームの軸心方向に長い二条のリブが並設させ、上記リブにおける夫々の相手のリブに近い側に頂部が形成されるように山形状に形成してあり、管壁孔の直径は上記左右の各二条のリブの頂部相互間の間隙よりも大きく形成してあり、かつ、上記リブの頂部は、夫々管壁孔が設けられた位置において途切れた状態になっており、左右の各二条のリブにおける８個の尖頭部が、夫々対応するアンテナ素子の周壁に食い込ませてあって、上記８個の尖頭部でもってアンテナ素子の回動と軸線方向の移動を阻止するような状態でブームにアンテナ素子が固着されている。【選択図】    図１２
2011009848.tif 000002
【特許請求の範囲】
【請求項１】
中空管状のブームの管壁の左右両側に備えさせた二個一対の管壁孔には中空管状のアンテナ素子を貫通させ、かつ、
そのアンテナ素子は上記ブームに固着してあるアンテナにおいて、
上記ブームの管壁における左右の壁部の内面の夫々には、上下方向相互間に間隙を形成する状態でブームの軸心方向に長い二条のリブを並設させ、
上記左右の壁部内面に夫々配した二条のリブの断面形状は、夫々管内部に向けて突出させると共に、各リブにおける突出させてある部分においては、上下方向に相対向するリブにおける夫々の相手のリブに近い側に頂部が形成されるように山形状に形成してあり、
一方、上記管壁孔の直径は、上記左右の各二条のリブの頂部相互間の間隙よりも大きく形成してあって、上記のブーム軸心方向に長い各リブの頂部は、各管壁孔の位置で途切れて、その途切れた箇所には夫々尖頭部が形成された状態になっており、
上記中空管状のブームに対するアンテナ素子の固着は、
上記四条のリブの夫々の頂部における管壁孔を設けたことにより途切れたところに形成された上記８個の尖頭部が、夫々対応するアンテナ素子の周壁における両側の壁部に夫々食い込む状態になっていて、しかも、各尖頭部の位置におけるリブの山形状になっている部分の管内部側に向く面は、断面形状において、
上下方向に相対向するリブの頂部相互間を結ぶ線の線上にリブの一部が位置するように管内部側に寄せてあって、
上記８個の尖頭部でもって、アンテナ素子の回動と軸線方向の移動を阻止するような状態でもって上記中空管状のブームにアンテナ素子が固着されていることを特徴とするブームに対するアンテナ素子の固定部の構造。
【請求項２】
中空管状のブームの管壁には、中空管状のアンテナ素子をブームの左右方向に貫通させる為の二個一対の管壁孔を設け、
上記二個一対の管壁孔には中空管状のアンテナ素子を貫通させ、
上記ブームに圧力を加えてブームを変形させることにより、
上記ブームに対してアンテナ素子を固着するようにしたアンテナの製造方法において、
上記ブームの管壁における左右の壁部の内面の夫々には、上下方向に相互間に間隙を形成する状態でブームの軸心方向に長い二条のリブを並設させ、
上記左右の壁部内面に夫々配した二条のリブの断面形状は、
夫々管内部に向けて突出させると共に、各リブにおける突出させてある部分においては、上下方向に相対向するリブにおける夫々の相手のリブに近い側に頂部が形成されるように山形状に形成してあり、
一方、上記管壁孔の直径は、上記左右の各二条のリブの頂部相互間の間隙よりも大きく形成して、上記のブーム軸心方向に長い各リブの頂部を各管壁孔の位置で途切れさせ、その途切れた箇所に夫々尖頭部を形成し、
さらに、上記ブームを上下方向に加圧することにより、
ブームの管壁における上下の壁部を相互に近づける方向に変形させると共に、左右の壁部は相互に遠く離れるように変形させ、
上記変形によって上記左右の各二条のリブにおける上下の頂部が相互に近づくようにして上下の各尖頭部を相互に近づく方向に変位させ、それらの変位によって、
上記の尖頭部を夫々対応するアンテナ素子の周壁における左右の壁部に食い込ませ、しかもその食い込み状態においては、
各尖頭部の位置におけるリブの山形状になっている部分の管内部側に向く面は、断面形状において、
上下方向に相対向するリブの頂部相互間を結ぶ線の線上にリブの一部が位置するように管内部側に寄せてあって、
上記の尖頭部でもって、ブームに対するアンテナ素子の回動と軸線方向の移動を阻止するようにすることを特徴とするアンテナの製造方法。
【発明の詳細な説明】
【技術分野】
【０００１】
本発明は、例えばＵＨＦ、その他の通信信号の送受をする場合に、中空管状のブームに二個一対の貫通孔を備えさせ、その貫通孔に対して、パイプ状のアンテナ素子を貫通させた状態で固定させたアンテナに関するもので、そのアンテナの素子の固定部の構造及びアンテナの製造方法に関するものである。
【背景技術】
【０００２】
従来より、中空管状のブームに二個一対の貫通孔を備え、その貫通孔に対して、パイプ状のアンテナ素子を貫通させた状態で固定させたアンテナ素子の固定部の構造及びアンテナの製造方法は広く知られている（例えば、特許文献１参照）。
例えば特許文献１に示されるアンテナ素子の製造方法は次のようにされている。
中空管状のブームの管内においては、断面形状においてアンテナ素子の存置予定位置の両側となる位置を中間にしてそれの上下両側位置に夫々上記ブームの軸心方向に伸びる板状のリブを備えさせ、次に、上記ブームの管壁孔にアンテナ素子を貫通させ、
中空管状のブームの外壁に上下方向から圧力を加えて中空管状のブームの外壁を相互に近づけ、その中空管状のブームの外壁を相互に近づけることにより、ブーム管内の軸心方向に直線状のリブの自由端を上記中空管状アンテナ素子の管壁に押し当てて固定している。
【先行技術文献】
【特許文献】
【０００３】
【特許文献１】特許第４０６４８３６号公報
【発明の概要】
【発明が解決しようとする課題】
【０００４】
この従来のアンテナ素子の製造方法では、ブームを変形させる場合、ブームの軸心方向に長い直線状のリブでもって、「アンテナ素子の周壁における幅方向の中心位置の上下にある周壁部」を押さえ付けている。しかしながら、アンテナ素子の周壁の肉厚は極めて薄く形成されているのが実情であり、その「アンテナ素子の周壁における幅方向の中心位置の上下にある周壁部」は、反力が小さくて僅かな力で塑性変形する。
従って、上記「リブ」による「アンテナ素子の周壁における幅方向の中心位置の上下にある周壁部」の押え量が僅かに不足すると、アンテナ素子の周壁が薄くて弱体であることからして、変形し、アンテナ素子の周壁に対するリブの押え状態は不安定になり、ブームに対するアンテナ素子の抜け止め、回り止めが十分にされず、信頼性に欠ける問題点があった。
【０００５】
上記問題点を解決する為にブームの外周を局部的に大きく変形させて、ブームにおける局部的変形部分でアンテナ素子を固着する手段も提供されている。しかし、ブームの外周を局部的に大きく変形させると、その局部的変形部分によってアンテナ素子の周壁に傷が付き、そこから腐食する問題点が発生していた。
【０００６】
本件出願の目的は、ブーム貫通孔に対してアンテナ素子を貫通させた状態で固定させることができるは勿論、ブームに対してアンテナ素子を固定する場合、ブームの管壁孔にアンテナ素子を貫通させて、ブームを上下方向に加圧するだけで、ブームに対してアンテナ素子を極めて簡便に固定できるアンテナ素子の固定部の構造及びアンテナの製造方法を提供しようとするものである。
他の目的は、ブームを変形させる場合、ブーム内の左右に備えさせた各二条のリブ における８個の尖頭部を、夫々対応する「アンテナ素子における周壁の両側の各側部」に食い込ませて、ブームに対するアンテナ素子の抜け止めと回り止めをして長寿命で使用することができるアンテナ素子の固定部の構造及びアンテナの製造方法を提供しようとするものである。
他の目的及び利点は図面及びそれに関連した以下の説明により容易に明らかになるであろう。
【課題を解決するための手段】
【０００７】
本発明におけるアンテナ素子の固定部の構造は、中空管状のブーム２０の管壁２１の左右両側に備えさせた二個一対の管壁孔５５には中空管状のアンテナ素子１９を貫通させ、かつ、そのアンテナ素子１９は上記ブーム２０に固着してあるアンテナ１において、上記ブーム２０の管壁２１における左右の壁部２５、２７の内面の夫々には、上下方向相互間に間隙５２を形成する状態でブーム２０の軸心方向に長い二条のリブ３６、３７を並設させ、上記左右の壁部内面に夫々配した二条のリブ３６、３７の断面形状は、夫々管内部21ｂに向けて突出させると共に、各リブ３６、３７における突出させてある部分においては、上下方向に相対向するリブ３６、３７における夫々の相手のリブ３６、３７に近い側に頂部４３が形成されるように山形状に形成してあり、一方、上記管壁孔５５の直径は、上記左右の各二条のリブ３６、３７の頂部４３、４３相互間の間隙５２よりも大きく形成してあって、上記のブーム軸心方向に長い各リブ３６、３７の頂部４３、４３は、各管壁孔５５の位置で途切れて、その途切れた箇所には夫々尖頭部５８が形成された状態になっており、  上記中空管状のブーム２０に対するアンテナ素子１９の固着は、上記四条のリブ３６、３７の夫々の頂部４３における管壁孔５５を設けたことにより途切れたところに形成された上記８個の尖頭部５８、５８・・・５８が、夫々対応するアンテナ素子１９の周壁における両側の壁部80ａ、80ａに夫々食い込む状態になっていて、しかも、各尖頭部５８の位置におけるリブ３６、３７の山形状になっている部分43ａの管内部21ｂ側に向く面４０は、断面形状において、  上下方向に相対向するリブ３６、３７の頂部相互間を結ぶ線４４の線上にリブの一部が位置するように管内部側に寄せてあって、上記８個の尖頭部５８、５８・・・５８でもって、アンテナ素子１９の回動と軸線方向の移動を阻止するような状態でもって上記中空管状のブーム２０にアンテナ素子１９が固着されたものである。
【０００８】
また本発明におけるアンテナ素子の製造方法は、  中空管状のブーム２０の管壁２１には、中空管状のアンテナ素子１９をブーム２０の左右方向に貫通させる為の二個一対の管壁孔５５を設け、  上記二個一対の管壁孔５５には中空管状のアンテナ素子１９を貫通させ、上記ブーム２０に圧力を加えてブーム２０を変形させることにより、上記ブーム２０に対してアンテナ素子１９を固着するようにしたアンテナの製造方法において、  上記ブーム２０の管壁２１における左右の壁部２５、２７の内面の夫々には、上下方向に相互間に間隙５２を形成する状態でブーム２０の軸心方向に長い二条のリブ３６、３７を並設させ、  上記左右の壁部内面に夫々配した二条のリブ３６、３７の断面形状は、  夫々管内部21ｂに向けて突出させると共に、各リブ３６、３７における突出させてある部分においては、上下方向に相対向するリブ３６、３７における夫々の相手のリブに近い側に頂部４３が形成されるように山形状に形成してあり、  一方、上記管壁孔５５の直径は、上記左右の各二条のリブ３６、３７の頂部相互間の間隙５２よりも大きく形成して、上記のブーム軸心方向に長い各リブ３６、３７の頂部４３、４３を各管壁孔５５の位置で途切れさせ、その途切れた箇所に夫々尖頭部５８を形成し、  さらに、上記ブーム２０を上下方向に加圧することにより、ブーム２０の管壁２１における上下の壁部２３、２９を相互に近づける方向に変形させると共に、左右の壁部２５、２７は相互に遠く離れるように変形させ、  上記変形によって上記左右の各二条のリブ３６、３７における上下の頂部４３、４３が相互に近づくようにして上下の各尖頭部５８、５８・・・５８を相互に近づく方向に変位させ、それらの変位によって、   上記の尖頭部５８を夫々対応するアンテナ素子１９の周壁８０における左右の壁部８０ａに食い込ませ、しかもその食い込み状態においては、  各尖頭部５８の位置におけるリブ３６、３７の山形状になっている部分４３ａの管内部21ｂ側に向く面４０は、断面形状において、  上下方向に相対向するリブ３６、３７の頂部相互間を結ぶ線４４の線上にリブ３６、３７の一部が位置するように管内部21ｂ側に寄せ、上記８個の尖頭部５８、５８・・・５８でもって、ブーム２０に対するアンテナ素子１９の回動と軸線方向の移動を阻止するようにするものである。
【発明の効果】
【０００９】
以上のように本発明によれば、ブーム２０に対するアンテナ素子１９の固定状態は、上記ブーム２０の管壁２１の左右の壁部２５、２７の内面に相互に間隙５２を隔てて夫々二条のリブ３６、３７を並設させ、それらのリブ３６、３７の断面形状は、山形状に管内部に突出する状態に形成し、更に、管壁孔５５の直径は、上記左右の各二条のリブ３６、３７の頂部４３、４３相互間の間隙５２よりも大きく形成してあって、上記のブーム軸心方向に長い各リブ３６、３７の頂部４３、４３は、各管壁孔５５の位置で途切れ、その途切れた箇所には左右の上下各２カ所、計８個の尖頭部５８、５８・・・５８が形成され、それらの尖頭部５８、５８・・・５８を、アンテナ素子１９の両側から夫々対応するアンテナ素子１９における周壁８０の両側の壁部80ａに対して上下方向から食い込ませて、尖頭部をアンテナ素子１９における周壁８０の側部80ａに対して堅固に一体化してある。
しかもその食い込み状態にあっては、各尖頭部５８、５８・・・５８の位置におけるリブ３６、３７の断面形状を各尖頭部５８、５８・・・５８の管内部側の面４０が、アンテナ素子１９の軸心方向において各尖頭部の位置よりも管内部21ｂ側に位置する状態になるようにしてあるので、「アンテナ素子における周壁８０の両側の壁部80ａ」が上下方向に対して大きな反力を有するものであっても、各尖頭部５８、５８・・・５８は上下方向に向けて強力に食い込み、「アンテナ素子１９における周壁８０の両側の壁部80ａ」を変形させてそこに堅固に一体化してアンテナ素子１９の固定を確実で信頼性の高いものにできる効果がある。
【００１０】
しかも本発明は、上記ブームに対するアンテナ素子の固定部は、ブーム２０の管壁内のリブ３６、３７における尖頭部５８、５８・・・５８を、ブーム２０の管壁内に位置するアンテナ素子１９の周壁８０における両側の壁部80ａに食い込ませて固定しており、固定部分は、ブーム２０の管壁２１によって外部から保護されているので、外部からの腐食を防いで長寿命で使用することができる効果がある。
【００１１】
さらに本発明によれば、ブーム２０に対してアンテナ素子１９を固定する場合、ブーム２０の管壁孔５５にアンテナ素子１９を貫通させて、ブーム２０を上下方向に加圧するだけで、ブーム２０の管壁内における左右の側80ａに設けた各二条のリブ３６、３７を相互に近づける方向に変形させるだけで、左右の管壁２６、２６は相互に遠く離れるように変形し、かつ上記変形によってブーム内における左右の各二条のリブ３６、３７をも上下の頂部４３、４３が相互に近づくように変位し、これらの各二条のリブ３６、３７に備えさせてある各尖頭部５８、５８・・・５８は、アンテナ素子１９における周壁８０の両側の各壁部80ａに食い込ませることができるので、ブーム２０に対して、「アンテナ素子１９における周壁８０の両側に位置する各壁部80ａ」に対するブーム２０の側の各尖頭部５８、５８・・・５８を極めて簡単に固定できるという作業上の効果がある。
【図面の簡単な説明】
【００１２】
【図１】アンテナの斜視図。
【図２】アンテナにおける支持杆を、アンテナ素子と同一平面に折畳んだ状態を説明する為の平面図。
【図３】（Ａ）は図２における符号III Aで示される部分拡大図。（Ｂ）は図１における符号III Bで示される部分の一部破断した拡大斜視図。
【図４】（Ａ）は管壁変形前のブームの部分側面図。（Ｂ）は管壁変形前のブームの部分平面図。
【図５】管壁変形前のブームの断面図で、（Ａ）は図４（Ａ）及び図７のＡ−Ａ線位置断面図、（Ｂ）は図４（Ａ）及び図７のＢ−Ｂ線位置断面図、（Ｃ）は図４（Ａ）及び図７のＣ−Ｃ線位置断面。
【図６】（Ａ）は図５（Ａ）のVI Aで示される部分拡大図。（Ｂ）は図５（Ａ）のVI Bで示される部分拡大図。
【図７】図５（Ａ）のVII−VII線断面図。
【図８】管壁変形前のブームの一部を破断して示す斜視図。
【図９】ブームに対するアンテナ素子の固定方法を説明する為の図で、管壁変形前のブームの管壁孔にアンテナ素子を貫通させ、金型内に位置させた状態を示す一部破断して示す概略断面図。その破断位置は、図４（Ａ）及び図７のＡ−Ａ線位置である。
【図１０】ブームに対するアンテナ素子の固定方法を説明する為の図で、管壁変形前のブームの管壁孔にアンテナ素子を貫通させ、金型内に位置させた状態の一部破断して示す概略断面図。その破断位置は、(A)は図４（Ａ）及び図７のＢ−Ｂ線位置であり、（Ｂ）は図４（Ａ）及び図７のＣ−Ｃ線位置の断面図である。
【図１１】ブームに対するアンテナ素子の固定状態を説明する為の一部破断して示す概略断面図。その破断位置は、図４（Ａ）及び図７のＡ−Ａ線位置である。
【図１２】ブームに対するアンテナ素子の固定状態を説明する為の一部破断して示す概略断面図。その破断位置は、図４（Ａ）及び図７のＢ−Ｂ線位置であり、（Ｂ）は図４（Ａ）及び図７のＣ−Ｃ線位置である。
【図１３】（Ａ）〜（Ｃ）は、ブームに対するアンテナ素子の固定状態を説明する為の図面であって、変形後のブームを一部破断して示す概略断面図（アンテナ素子の表示は省略してある）。それらの図の破断位置は、（Ａ）は図１１のXIII A−XIII A位置、（Ｂ）は図１２（Ａ）のXIII B−XIII B位置、（Ｃ）は図１２（Ｂ）のXIII C−XIII C位置である。（Ｄ）〜（Ｇ）は、ブームに対するアンテナ素子の固定状態を説明する為の図面であって、アンテナ素子を一部破断して示す概略断面図（ブームの表示は省略してある）。（Ｄ）は変形前のアンテナ素子、（Ｅ）〜（Ｇ）は変形後のアンテナ素子を示す。それらの図の破断位置は、（Ｅ）は図１１のXIII A−XIII A位置、（Ｆ）は図１２（Ａ）のXIII B−XIII B位置、（Ｇ）は図１２（Ｂ）のXIII C−XIII C位置である。
【図１４】ブーム壁部と、リブと、尖頭部と、添付面と、角部との相互の動作を説明する為の図で、図９の符号Ｇ１部分と、図１１のＧ２部分の輪郭を重ねて示す模式図。
【図１５】ブームに対して固定された後のアンテナ素子の平面図であって、ブームを除去してアンテナ素子の一部のみを示す図。なお、一点鎖線で示される符号21ａはブームの外周面位置を示す。
【図１６】ブームにおけるリブの形状の異なる例を説明する為の概略断面図。
【図１７】ブームにおけるリブの形状の異なる例を説明する為の概略断面図。
【図１８】（Ａ）は変形前のブームの具体例を示す断面図。（Ｂ）は変形後のブームの具体例を示す断面図。
【図１９】ブームの変形の度合を示す概略模式図。
【発明を実施するための形態】
【００１３】
以下本発明の実施の形態を図面を用いて説明する。
図１において、１は、マスト２によって支持されているアンテナ、例えば周知のＵＨＦ波の送受に利用される周知のアンテナを示す。アンテナ１において、２０は中空管状のブーム、１６は放射器、１７は反射器、１８は導波器を示し、これらはブーム２０に対して装着されることにより一体化している。導波器１８において１９は、任意複数の中空管状のアンテナ素子で、ブーム２０の軸心に対して直交する方向に向けて、夫々管壁２１に任意所定の間隔で穿設された二個一対の管壁孔５５を貫通した状態で固定されている。
３は、Ｕ字状の支持杆を示し、金具２ａを介してマスト２に連結されている。支持杆３の両側の自由端３ａ、３ａは、取付金具５、５を介してブーム２０に着脱自在に連結してある。
【００１４】
取付金具５は、図３（Ｂ）に表われているように、鋼板を逆Ｕ字状に折り曲げて形成されたバンド部６と二つの支持杆添付部１０とを一体的に備える。なお、バンド部６において、６ａは膨出状に形成してあるリブを示し、バンド部６の下面における円弧の形状をブーム２０の外周形状に対応する曲面に維持する為の補強材である。６ｂ、６ｃはバンド部６の内懐部７側に係合用凸部を形成した場合にできた凹部を示す。凹部６ｃにおける内懐部７側の係合用凸部は筋３１に係合させ得るようにしてある。
バンド部６の内懐部７の形状は、ブーム２０の外径形状に対応させてあり、支持杆添付部１０、１０を締付けることによって内懐部７の内周面はブーム２０の外周面２１に対して一体化し、支持杆添付部１０、１０を緩めることにより、ブーム２０の外周面２１は内懐部７の内周面から離れて９０度の範囲内で回動自在になる（図２の折畳状態から、図１の状態にできる）。８は周知の長孔を示し、ブーム２０に螺合させてある（回り止用）螺子に対して９０度の範囲内で回動方向に相対的な移動を可能にしてある。９は位置決め用の目印で、図１の組立完了状態において、ブーム２０の管壁２１の上部に設けられた筋３１に対応した位置を示す為に突出状に形成されている。１２は支持杆添付部１０、１０を締緩するためのボルトの頭を示す。
なお、バンド部６において、上記凹部６ｃの位置には凹部６ｃを設けることなく、上記リブ６ａと同様のものを設けて構成してもよい。
【００１５】
なお、当分野においてアンテナ１は、図１の状態でブーム２０に対してアンテナ素子１９を左右（水平方向）に突出させた状態で使用される場合が多い。しかし、アンテナ素子１９を上下に向けた状態で使用される場合もある。従って、当業者は利用の形態によって上下、左右の呼び名を変更して用いている。このような事情から本件（特許請求の範囲、明細書、図面）においては、上下、左右の用語の用い方においては、説明の都合上、図１の状態で用いられた場合を仮定して、アンテナ素子（エレメント）１９の突出方向を「左右」として説明し、図面上の上下を、そのまま「上下」と称して説明する。
【００１６】
次に、ブーム２０に対するアンテナ素子１９の固定部の構造に関連する構成について説明する。なお、図４〜１０に示されるブーム２０はブーム管壁２１の変形前の状態を示す。
ブーム２０は、周知のようにアルミニウム合金（例えばアルミＡ６０６３−Ｔ５）或は塑性変形可能な任意の硬質材によって形成されている。ブーム２０の管壁２１の断面形状は、図５に示される壁部２３〜２９（第１壁から第７壁）で囲まれた多角形状にしてあり、上下の壁部２３と２９の外周間の寸法Ｈ１は、左右の第４壁２６の外周相互間の寸法Ｗ１より大きく設定してある。
【００１７】
管壁２１において、２３〜２９は、図５、７、８に表れている第１壁〜第７壁を示す。
第１壁２３、第７壁２９は、これらがブーム２０の上面に位置して用いられた場合、過大な積雪を防止する為に図示のように上面を円弧状に形成してある。
第２壁２４は、上方からリブ３６に向けて逐次肉厚を増して第４壁２６より厚みを大きく形成してある。
第３壁２５と第５壁２７は、夫々リブ３６、３７と一体化させて丈夫にしてある。
第４壁２６は、図９の状態から図１１の状態に向けてブーム２０を加圧して管壁２１を変形させる過程において、他の壁の部分に比較して大きく曲がり、図１１に表れているように円弧状に変形しうるように両隣の壁より薄い厚みにしてある。
第６壁２８は、下方からリブ３７に向けて逐次肉厚を増して第４壁２６より厚みを大きく形成してある。
次に図３、４、６（Ｂ）、８に表れている３１、３２は、アンテナ素子１９を水平にした状態でアンテナを使用する場合におけるブーム２０の上下の中心位置を示す目印用の筋を示し、突設（凹設）してある。31Ｌ、31Ｒは、筋３１、３２の両隣に夫々平行して設けた筋を示し、ポール（支柱）が傾いていた場合、その傾きに対してアンテナ素子１９の傾きを調整する場合の目印として用いることができる。３３、３４は、図９の状態から図１１の状態に向けてブーム２０を加圧して管壁２１を変形させる過程において、第４壁２６が曲がりやすくする為の折目を示す。
【００１８】
図５〜８に表れる上記ブーム２０の管壁２１における左右の壁部（左右の第３壁２５、左右の第５壁２７）の内面の夫々には、上下方向に相互間に間隙５２を形成する状態でブーム２０の軸心方向に長い二条のリブ３６、３７が並設されている。第１リブ３６と、第２リブ３７の夫々の元部36ａ、37ａは、管壁２１と一体材でもって一体的に成形してあり、夫々の対応壁部の肉厚を補強している。４３は上記第１と第２リブ３６、３７における各第４周面４１と第３周面４０との間に形成される頂部を示す。第１と第２リブ３６、３７の断面形状は、図示のように上下方向の相対向する第１と第２リブ３６、３７における対向面の近い位置に頂部（稜線）４３が形成されるように、全体の断面形状を山形状に形成している。
次に３８〜４２は第１リブ３６及び第２リブ３７の各第１周面〜第５周面を示す。第１周面３８、第５周面４２は不測の変形を防止する為の肉盛り部分、第３周面４０と第４周面４１は、図１１〜図１２に表れているように、加圧完了状態において、８つの尖頭部５８が、アンテナ素子からの反力に負けることなく、設計上予定された食込み状態を得られるように、斜面に傾斜させてある。
このように内面に４条のリブ３６，３７を備えるブーム２０は、通常知られているように押出成形によっても製作できる。
【００１９】
次に、アンテナ素子１９を固着する手段について説明する。
まず、図１〜５の中空管状のブーム２０の管壁２１におけるアンテナ素子１９装着予定位置に対し、周知の手段を用いて、複数の中空管状のアンテナ素子１９を左右方向に貫通させる為の二個一対の管壁孔５５を所定間隔を隔てながら複数穿孔形成する。
上記管壁孔５５の直径Ｄ１は、周知のようにアンテナ素子１９の外径Ｄ２が挿通できるように対応寸法にしてあり、しかも、ブーム２０内の左右の各二条のリブ３６、３７における二つの頂部４３の相互間の間隙５２よりも大きく形成してある。管壁孔５５を形成すると、図５（Ｂ）、（Ｃ）、図８に表れるように、夫々のリブ３６、３７における第４周面４１側も、第３周面４０側も夫々一部は削り取られ、そこには円弧状の添付面５６が夫々形成される。さらに、ブーム２０内の左右の各二条のリブの頂部４３は、夫々管壁孔５５が設けられた位置において、図８に表われているように、そこで連続性が遮断されている。従って、この頂部４３が貫通孔５５によって遮断された位置においては、上下二つのリブ３６、３７の第４周面４１と第３周面４０と、添付面５６とによって、各リブにつき２個（全部のリブでは８個）の鋭い牙のような尖頭部５８が形成される。尖頭部５８、５８の軸心方向の間隔５３は図７に表われているように、管壁孔５５の直径Ｄ１より小さくしてある。
次に、上記二個一対の管壁孔５５に対して、通常行われるように中空管状のアンテナ素子１９を貫通させる。この状態では、アンテナ素子１９は図７、９、１０のように、左右の各二条のリブ３６、３７において上下二つの添付面５６と４個の尖頭部５８によって夫々支持される。
【００２０】
次に、図９のブーム２０を上下方向から任意の手段を用いて加圧することにより、図１１に表れるようにブーム２０の断面を変形させ、その変形によって、ブーム内における上下のリブ３６、３７をも上下の頂部４３、４３が相互に近づくように変位させて、添付面５６をアンテナ素子１９の周壁８０に食い込ませる。
この点について、ブーム２０の管壁２１、ブーム内の上下のリブ３６、３７、ブーム２０内に位置するアンテナ素子１９夫々の動作を、図９〜１５を用いて以下詳しく順次説明する。
【００２１】
まず、ブーム２０の管壁２１の動作に関連する動作は次の通りである。図９に示されるブーム２０を上下方向（矢印35ａ、35ｂ方向）に加圧することにより、図１１、１２に表れるようにブーム２０の管壁２１における上下の壁部２３、２９を相互に近づける方向に変形させると共に、左右の第４壁２６は相互に遠く離れるように変形する。この変形させる手段としては、例えば断面形状が図９に示されている金型７０を用いる。ブーム２０を中間にして、互いに対向する状態で一対のプレス金型７０を配置する。金型７０における７１は凹部で、ブーム２０の仕上がり予定の外周形状（図１１のブームの外周形状）に対応する形状にしてある。（なお、金型７０の長手方向（ブームの軸心方向と同じ）の長さは任意であり、複数のアンテナ素子１９を同時に固着できるように長くしてあってもよい。）
図９の状態で上下二つのプレス金型７０の対向面70a、70bを夫々矢印３５ａ、３５bに向けて近付けると、ブームの第１壁２３と第７壁部２９とは、プレス金型７０に押されて相互に近づく方向に移動する。この移動と共に、左右の第４壁２６、２６は相互に遠ざかる方向（矢印３５ｃ、３５ｄ方向）へと広がる。この際、ここは図９のように上下のリブ３６、３７が存在する部分より肉薄で耐曲げ力が弱くなっていたり、又は図５（Ｂ）のように管壁孔５５の存在で耐曲げ力が弱くなっていたりしていて、夫々壁部２６の上下方向の中間位置を頂点として、図１１のように凹部７１の内壁面に沿う状態に左右に膨出状に変形する。このような、上下の壁部２３、２９の移動と、左右の第４壁２６、２６の移動に伴い、上半部の壁部２４はハの字状に広がり、下半部の壁部２８は逆ハの字状に広がる。
なお、その結果、ブーム２０の外形形状は、外観的に上側の３面の壁（２３、２４、２４）と、下側の３面の壁（２８、２８、２９）との形状が対称になり、均整のとれた六角形状を呈する。従って、見た目が良くなって、商品価値が高くなる。なお、六角形状とは、概略でよく、適当な距離から見て、例えば２〜３ｍ程度離れた場所からブームの外形をみて、美しく見える程度であればよい。さらに、ブーム２０の機械的強度を損なわない範囲で、ブーム２０の表面に模様や線条を施してもよい。模様や線条３１、31Ｌ、31Ｒを施すことにより、アンテナのデザイン的なイメージチェンジをはかることができる。また取付金具５のすべり留めの効果も期待できる。
【００２２】
次に、上記ブーム２０の管壁２１が図９、１０の状態から図１１、１２の状態に変形することによって変位するブーム内の上下のリブ３６、３７の動作は次の通りである。
前述したブームの管壁２１における左右の壁部２６、２６の変形によって、図９の左右の各二条のリブ３６、３７も夫々図１１に示されるように、リブ３６、３７の上下の頂部４３、４３が相互に近づくように変位する。
この左右各２本のリブ３６、３７の変位によって、全８個の尖頭部５８と、４つの添付面５６も夫々対応変位し、図１２（Ａ）（Ｂ）のように、 上下一対の尖頭部５８が、相互に近付いて、夫々対応するアンテナ素子１９の周壁８０に食い込む。その際の、上記尖頭部５８の動作を図１４を用いて説明する。
図１４は、図９〜図１５に表れているブーム壁部２１と、リブ３６、３７と、尖頭部５８と、添付面５６と、角部５７、アンテナ素子１９との相互の動作を詳細に説明する為に用いる図で、図９の符号Ｇ１部分と、図１１のＧ２部分の輪郭を重ねて、各部の動きを部分的に説明できるようにしたものであり、従って、この図の部分的な動きから、図９と、図１１に表れている各部の対応する全ての動きは想定でき、明らかになる。
なお、図中、一点鎖線で示される尖頭部５８、壁２３等の位置は、成型開始前、即ち、図９、１０の状態を示す。実線で示される尖頭部５８、壁２３等の位置は成型完了状態、即ち、図１１、１２の状態を示す。
図１４において、前述したように一点鎖線で示す壁２３を矢印３５ａ方向に押圧して実線方向に変位させると、前述したようにその変位に連動する状態で一点鎖線で示される壁２６に矢印３５ｄ方向の分力がおよんで壁２６は彎曲して実線位置に変位する。その変位の過程において尖頭部５８は、一点鎖線の位置から円弧の軌跡Ｓ５を描いて実線位置に変位する。その変位の軌跡Ｓ５は図示のように下降曲線を描きながら、矢印３５ｄ方向に向う。
上記の尖頭部５８の動きは、図１４、図１０（Ｂ）、図１２（Ｂ）から明らかなように、管壁２１の左右における各上下に存在する二つの尖頭部５８が一対として、同時に、「相互間の距離を縮めながら変位」する。
【００２３】
次に図１４を用いて添付面５６と、角部５７の変位を説明する。この添付面５６と角部５７は、上記尖頭部５８の場合と同様に、一点鎖線位置にある壁２３を矢印３５ａ方向に変位させることにより、一点鎖線位置から実線位置に向けて円弧の軌跡Ｓ６を描いて変位する。その変位の過程において「軌跡Ｓ６は下降曲線」を描き、かつ、図示のように、「添付面５６の水平な面を図１４、図１２（Ａ）からも明らかなように外向傾斜面５６に変化させる」ように変位する。
上記の添付面５６の動きは、図１０（Ａ）、図１２（Ａ）、図１４から明らかなように管壁２１の左右における各上下に存在する各添付面５６、角部５７が一対として、同時に、「相互間の距離を縮めながら変位」する。
【００２４】
次に、アンテナ素子１９の周壁８０の変形状況は次の通りである。
上記の説明から明らかなように、ブーム２０の尖頭部５８を夫々対応するアンテナ素子１９の周壁８０における左右の壁部８０ａに食い込ませ（図１２（Ｂ）参照）、しかもその食い込み状態においては、 各尖頭部５８の位置におけるリブ３６、３７の山形状になっている部分４３ａの管内部21ｂ側に向く面４０を、断面形状において、上下方向に相対向するリブ３６、３７の頂部相互間を結ぶ線４４の線上にリブ３６、３７の一部が位置するように管内部21ｂ側に寄せた状態で食い込ませる。
【００２５】
上記の点を含めてアンテナ素子１９の周壁８０の変形状況をさらに説明すれば、前述したように、８個の尖頭部５８と、４箇所の添付面５６と、そこの夫々の角部５７がアンテナ素子１９の軸心方向（図１１，１２における左右方向）に移動しながら変位すると、その変位により、アンテナ素子１９の周壁８０は図１１〜図１５から理解できるように変形する。
その内、図１３は、上記８個の尖頭部５８と、４箇所の添付面５６と、そこの夫々の角部５７の動きによりアンテナ素子１９の周壁８０が対応して変形した状態を図法を変えて詳細に示すものである。
図１３において（Ａ）〜（Ｃ）は、ブーム２０に対するアンテナ素子１９の固定状態を説明する為の図面であって、変形後のブーム２０を一部破断して示す概略断面図（アンテナ素子１９の表示は省略してある）。それらの図の破断位置は、（Ａ）は図１１のXIII A−XIII A位置、（Ｂ）は図１２（Ａ）のXIII B−XIII B位置、（Ｃ）は図１２（Ｂ）のXIII C−XIII C位置である。更に（Ｄ）〜（Ｇ）は、ブーム２０に対するアンテナ素子１９の固定状態を説明する為の図面であって、アンテナ素子１９を一部破断して示す概略断面図（ブーム２０の表示は省略してある）。（Ｄ）は変形前のアンテナ素子１９、（Ｅ）〜（Ｇ）は変形後のアンテナ素子１９を示す。それらの図の破断位置は、（Ｅ）は図１１のXIII A−XIII A位置、（Ｆ）は図１２（Ａ）のXIII B−XIII B位置、（Ｇ）は図１２（Ｂ）のXIII C−XIII C位置である。  
【００２６】
更に詳述すると、前述図１４の添付面５６、角部５７の部分が、一点鎖線位置から緩やかな円弧状の軌跡Ｓ６を描いて実線位置に向かう過程にあっては、アンテナ素子１９の周壁８０は、各添付面５６、角部５７の部分の移動により、それらに当接していた部分は、夫々上下方向に向けて圧縮されて、図示されているように、角部５７、５７相互間にあって周壁８７は、上下方向には潰れ、左右方向には膨出する（Ｄ２よりも大きいＤ６の寸法となる）。そして、上下方向の寸法Ｄ５は、変形前の直径Ｄ２（図１３（Ｄ）参照）に比べてやや小さく潰される。さらに添付面の角部５７、５７に当接している凹状係部８６、８６相互間の寸法は、Ｄ７のように最も小さくなる（図１３（Ａ）（Ｂ）の角部５７、５７相互間の寸法Ｄ３に対応する）。さらに尖頭部５８、５８に当接している部分の周壁８０における上下方向の寸法Ｄ８は、上記Ｄ７よりも少し大きくなっている。
このように、周壁８０の各部夫々の上下寸法を小さくしながら変形し（Ｄ２＞Ｄ５＞Ｄ８＞Ｄ７の大きさになるように変形し）、やがては図１２（Ａ）、図１３（Ｆ）の状態に変形する。また当然のことながらこれらの変形した部分は、図１５に現れるようにアンテナ素子１９の平面形状にも表れる。
【００２７】
また前述のブーム２０における８個の尖頭部５８については、図１４の尖頭部５８の部分が、一点鎖線位置から緩やかな円弧状の軌跡Ｓ５を描いて実線位置に向かう過程にあって、アンテナ素子１９の周壁８０の両側壁80aは、図１３（Ｄ）の状態から、前述のように添付面５６、角部５７の部分の上下方向に向けての圧縮により各部夫々上下寸法が小さくなるように変形する過程で、図１３（Ｅ）（Ｆ）（Ｇ）から明らかなように左右方向に逐次広がり、かつ、並行的な動きをする尖頭部５８の移動により、周壁８０の両側壁80aは夫々上下方向からの尖頭部５８の押圧により局部的に圧縮されながら、やがては図１２（Ｂ）、図１３（Ｇ）、図１５に示す状態に変形する。
また、上記８個の尖頭部５８が、図１４の一点鎖線位置（図１０（Ｂ）の位置）から緩やかな円弧状の軌跡Ｓ５を描いて実線位置に向かう過程にあっては、
各尖頭部５８の位置におけるリブ３６、３７の山形状になっている部分４３ａの管内部21ｂ側に向く面４０は、図１２（Ｂ）に表れているように、断面形状において、上下方向に相対向するリブ３６、３７の頂部相互間を結ぶ線４４の線上にリブ３６、３７の一部が位置するように管内部21ｂ側に寄る状態で移動する。このように対向するリブ３６、３７の頂部相互間を結ぶ線４４の線上の後方に上記の各尖頭部５８を支えるリブ３６、３７の部材が位置すると、アンテナ素子１９の周壁８０の両側壁80aからの大きな反力に対しても充分に対抗できる大きな力を発揮させることができる。
【００２８】
アンテナ素子１９の変形の状態を示す図１５において、周壁８０の外周面８１の上部に現れている凹状係部８６、８６は、図１２（Ａ）における添付面５６の角部５７が周壁８０の外周面８１に食い込み状に当接して凹状（溝状）になっている部分を示す。
８３、８３は、図１４の一点鎖線位置から、角部５７が緩やかな円弧状の軌跡Ｓ６を描いて実線位置に向かう過程において、上記外周面８１の上部に強く摺擦、圧縮してできた斜面を示す。８４、８４は、添付面５６で押圧変形された斜面を示す。
次に８２、８２は、添付面５６、５６が、図１４の一点鎖線位置から、緩やかな円弧状の軌跡Ｓ６を描いて実線位置に向かう過程において、上記外周面８１の上部を強く押圧して図１３（Ｆ）に表れているＤ７方向の寸法を縮める過程で、アンテナ素子１９の左右方向の両側の壁部80ａに膨出した膨出部を示す。
８５は、尖頭部５８が図１４の一点鎖線位置から、緩やかな円弧状の軌跡Ｓ５を描いて実線位置に向かう変位の過程において、図１３（Ｇ）に現れているように周壁８０の両側の壁部80ａに形成される膨出部８２に対して押圧する状態で食い付くことによって、深い凹状に形成された食込み部を示す。この食込み部８５、８５の両側に形成されている膨出部８２、８２（図１３（Ｇ）参照）は、図１３（Ｃ）の間隙５２に向けて膨出する。
なお、アンテナ素子１９の裏面も同様になるのであるが、自明な為省略する。
【００２９】
以上のように、ブーム２０を上下方向に加圧することにより、８個の尖頭部５８と、４個の添付面５６と、それらの角部５７を、夫々対応するアンテナ素子１９の周壁の両側の壁部80ａ、80ａに食込ませた結果、ブーム２０の管内におけるアンテナ素子の固定部は、図１１〜１５を用いて説明したような状態になる。
この状態にあっては、図１１〜１５から理解できるように、アンテナ素子１９は、８個の尖頭部５８によって周壁の両側の壁部80ａ、80ａに放射方向から楔を打たれたようになっており、アンテナ素子の軸心（軸線）方向への移動は阻止され、かつ、周方向の回動も確実に阻止される。
しかも、上記アンテナ素子１９の外周面８１における凹状係部８６、食込み部８５等は、ブーム２０の管内、即ち、図１５のブームの管壁外周面21a、21aよりも管内に位置するものであり、雨水に晒されることはなく長寿命となる。
その上、アンテナ素子１９にあって、上記凹状係部８６、食込み部８５等が形成されている部分と、ブームの管壁外周面21a、21aとの間に夫々存在する「管壁孔５５の内面に当接する部分81a」は、夫々で対応する管壁孔５５の内面に夫々密着して、ソフトに支持されるので、アンテナ素子１９におけるブーム２０の左右の管壁孔５５から突出する部分の元部には、格別に配慮しなければならない様な集中応力が加わる場所はなく、ブームの元部は長寿命となる状態で維持される。
【００３０】
更に、ブーム２０に対するアンテナ素子１９の固定状態において、アンテナ素子の周壁８０を押えている部分は、アンテナ素子１９の周壁８０における両側の壁部80ａ、80ａであり、しかも、両側の壁部80ａ、80ａを押さえる方向は、アンテナ素子１９の両側の壁部80ａ、80ａにおける切線方向（図１３（Ｇ）の上下方向）であり、アンテナ素子１９の周壁側からの反力は充分に大きなものが得られる構成である一方、８個の尖頭部５８と、４個の添付面５６と、それらの角部５７は丈夫なリブによって支えられているので、アンテナ素子の周壁に対する左右夫々４個の尖頭部の食いつき状態は堅固で、永く持続できる構成であり、信頼できる固定状態を得ることができる。
【００３１】
次に、図１〜１５のブーム２０とはリブ３６、３７の断面形状の点において異なる例を示す図１６、図１７について説明する。
なお、図１６、１７において（Ａ）は管壁変形前のブームの断面図を、（Ｂ）は管壁変形後のブームの断面図を示す。また図１６、１７において前述の図１〜１５のものと機能、性質、手段又は特徴等が同一又は均等構成と考えられる部分には、前述の図と同一の符号を付して重複する説明を省略する。
前述の管壁２１の内側に備えさせたリブ３６、３７においては、図６に現れているように第２壁３８と第３壁部３９を図示のように形成したのであるが、図１６においては、上下方向に相対向するリブ３６、３７の頂部相互間を結ぶ線４４の線上のリブの部材が上下方向に分厚くなるように（尖頭部５８、５８相互間の後退が生じないように）、図１６（Ｂ）においては、各第４壁部４０の後方位置に夫々肉盛部38aが位置するように形成してある。
次に図１７（Ｂ）においては、上下方向に相対向するリブ３６、３７の頂部４３、４３（尖頭部５８、５８も同位置）相互間を結ぶ線４４の線上にリブ３６、３７の一部が実質的に位置するように、即ち、尖頭部５８、５８を用い、図１２のような状態で、周壁８０の両側の壁部80ａ、80ａ相互間を押し合う場合において、尖頭部５８、５８にリブ本体から充分な力が伝達されるように、即ち、尖頭部５８、５８の後部に対して夫々リブ３６、３７の一部の部材が位置するように面４０ａは、図１７（Ａ）の状態から変形の過程において管内部21ｂの側に大きく寄せてある。
【実施例】
【００３２】
図１８（Ａ）は、変形前のブーム２０の断面形状における管壁２１と第１、第２リブ３６、３７の具体的な寸法図を示す。図１８（Ｂ）は、変形後のブーム２０の断面形状における管壁２１と第１、第２リブ３６、３７（４本のリブ３６、３７）の具体的な寸法図を示す。
なお、本件の図面において、（）内に示される数字は、実施例の寸法（単位：mm）を示す。［］内の数字は、実施例の角度（単位：度）を示す。＜＞内の数字は、実施例の半径曲率（半径：mm）を示す。
次に図１９は、図１８の（Ａ）と（Ｂ）に夫々表れているブームの断面形状を、相互の曲がり角度を比較する為に重ねて示した模式図である。
なお、図１８、１９においても前述の図１〜１５のものと機能、性質、手段又は特徴等が同一又は均等構成と考えられる部分には、前述の図と同一の符号を付して重複する説明を省略する。
【符号の説明】
【００３３】
１・・・アンテナ、２・・・マスト、３・・・支持杆、３ａ・・・自由端、５・・・取付金具、６・・・バンド部、７・・・内懐部、８・・・長孔、９・・・目印、１０・・・支持杆添付部１１・・・透孔、１２・・・ボルト頭、１６・・・放射器、１７・・・反射器、１８・・・導波器、１９・・・アンテナ素子、２０・・・ブーム、２１・・・管壁、21a・・・ブーム管壁の外周面、２３・・・第１壁、２４・・・第２壁、２５・・・第３壁、２６・・・第４壁、２７・・・第５壁、２８・・・第６壁、２９・・・第７壁、３１、３２・・・筋、３３、３４・・・折目、３６・・・第１リブ、３７・・・第２リブ、３８・・・第１周面、３９・・・第２周面、４０・・・第３周面、４１・・・第４周面、４２・・・第５周面、４３・・・頂部、５２・・・間隙、５３・・・間隙、５５・・・管壁孔、５６・・・添付面、５７・・・角部、５８・・・尖頭部、７０・・・金型、７１・・・凹部、７２・・・欠如部（エレメント存置空間）、８０・・・周壁、80ａ・・・壁部、８１・・・外周面、８２・・・外周方向への膨出部、82ａ・・・係合部、８３・・・斜面、８４・・・斜面、８５・・・食込み部、８６・・・凹状係部、８７・・・アーチ状の周壁
【図１】
2011009848.tif 000003
【図２】
2011009848.tif 000004
【図３】
2011009848.tif 000005
【図４】
2011009848.tif 000006
【図５】
2011009848.tif 000007
【図６】
2011009848.tif 000008
【図７】
2011009848.tif 000009
【図８】
2011009848.tif 000010
【図９】
2011009848.tif 000011
【図１０】
2011009848.tif 000012
【図１１】
2011009848.tif 000013
【図１２】
2011009848.tif 000014
【図１３】
2011009848.tif 000015
【図１４】
2011009848.tif 000016
【図１５】
2011009848.tif 000017
【図１６】
2011009848.tif 000018
【図１７】
2011009848.tif 000019
【図１８】
2011009848.tif 000020
【図１９】
2011009848.tif 000021